(57)【要約】【課題】簡易的で施工容易であるとともに、収納スペースを広くとることができる湿度調整可能な収納台を提供する。【解決手段】箱体の前面側に開閉可能に設けられる少なくとも１つの引き出し２１、２２、３１、３２、３３、４１、４２を備え、該箱体の内側には収納空間を有する収納台１であって、引き出しが閉じられた姿勢で、収納空間を形成する面の少なくとも一部に、該面に沿って設けられた湿度調整機能を有する板材からなる調湿板２３、２４、３４、３５、４３、４４を備え、調湿板が、建材試験センター規格ＪＳＴＭ  Ｈ  ６３０２に基づく試験方法により得られる吸放湿量が６時間で４０ｇ／ｍ２以上である性能を有することを特徴とする。【選択図】図２
2008136548.tif 000002
【特許請求の範囲】
【請求項１】
箱体の前面側に開閉可能に設けられる少なくとも１つの引き出しを備え、該箱体の内側には収納空間を有する収納台であって、
前記引き出しが閉じられた姿勢で、前記収納空間を形成する面の少なくとも一部に、該面に沿って設けられた湿度調整機能を有する板材からなる調湿板、を備え、
前記調湿板が、建材試験センター規格ＪＳＴＭ  Ｈ  ６３０２に基づく試験方法により得られる吸放湿量が６時間で４０ｇ／ｍ２以上である性能を有することを特徴とする収納台。
【請求項２】
前記調湿板が、前記引き出しの底板の下面、又は前記箱体の前記引き出しが開閉する面と対向する面のいずれか又はいずれにも具備されることを特徴とする請求項１に記載の収納台。
【請求項３】
前記箱体の上面には、流し台、調理台、又は加熱機器より選ばれる１又は複数の機器が配設されることを特徴とする請求項１又は２に記載の収納台。
【発明の詳細な説明】
【技術分野】
【０００１】
本発明は、キッチンや洗面台、食器戸棚等の収納台に関し、詳しくは収納空間において湿度調整が可能とされている収納台に関する。
【背景技術】
【０００２】
収納台の収納空間内におけるカビ、悪臭の発生は当該収納空間内に滞る湿気に起因するところが大きい。従ってキャビネット内の湿気を取り除く、いわゆる除湿を可能とすることは、収納台を提供する上で常に有する大きな課題であった。
【０００３】
かかる課題を解決するため、例えば特許文献１には厨房家具の収納空間内に除湿ユニットを設け、当該除湿ユニット内に収められるものにつき除湿をすることができる厨房家具が開示されている。
【０００４】
また、特に文献によらずとも、通常に市販されている除湿剤を収納空間内の片隅に配置するという方法も知られている。
【特許文献１】特開２００３−２９９５３１号公報
【発明の開示】
【発明が解決しようとする課題】
【０００５】
しかし、特許文献１に記載の除湿ユニット、及び厨房家具では、高い除湿性能を得ることはできるものの、収納空間内の除湿ユニットに収納したものを除湿するに留まり、収納空間内全体の除湿による防カビ、消臭をすることは困難であった。また、当該除湿ユニットは電気的に動作するので、装置が大掛かりなものであり、故障の懸念もある。
【０００６】
また、除湿剤を収納空間内の片隅に配置する方法は手軽であるものの、当該除湿剤を置くスペースが必要であり、限られた収納スペースの一部を除湿剤に利用することは回避したいとの要望があった。また、除湿剤の除湿機能が飽和し、その機能が低下した場合には除湿剤を交換する必要があった。
【０００７】
そこで本発明は、簡易的で施工容易であるとともに、収納スペースを広くとることができる湿度調整可能な収納台を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、箱体の前面側に開閉可能に設けられる少なくとも１つの引き出し（２１、２２、３１、３２、３３、４１、４２）を備え、該箱体の内側には収納空間を有する収納台（１）であって、引き出しが閉じられた姿勢で、収納空間を形成する面の少なくとも一部に、該面に沿って設けられた湿度調整機能を有する板材からなる調湿板（２３、２４、３４、３５、４３、４４）、を備え、調湿板が、建材試験センター規格ＪＳＴＭ  Ｈ  ６３０２に基づく試験方法により得られる吸放湿量が６時間で４０ｇ／ｍ２以上である性能を有することを特徴とする収納台により前記課題を解決する。
【００１０】
ここで、「建材試験センター規格ＪＳＴＭ  Ｈ  ６３０２に基づく試験方法」とは、建材試験センター規格のＪＳＴＭ  Ｈ  ６３０２に規定されている「調湿建材の吸放湿性試験方法」に基づき行われる試験である。
【００１１】
請求項２に記載の発明は、請求項１に記載の収納台（１）の調湿板（２３、２４、３４、３５、４３、４４）が、引き出し（２１、３１、３２、４１）の底板（２１ｅ、３１ｅ、３２ｅ、４１ｅ）の下面、又は箱体の引き出しが開閉する面と対向する面（１３）のいずれか又はいずれにも具備されることを特徴とする。
【００１２】
請求項３に記載の発明は、請求項１又は２に記載の収納台（１）の箱体の上面には、流し台（７）、調理台（８）、又は加熱機器（９）より選ばれる１又は複数の機器が配設されることを特徴とする。
【発明の効果】
【００１３】
請求項１の発明によれば、調湿板を取り付けるのみで調湿機能を有する収納台とすることができ、その構成が簡易で施工も容易である。また、調湿板が収納空間を形成する面に沿って配置されるので、収納スペースを占有することがなく、広い収納空間を確保することが可能となる。
【００１４】
請求項２の発明によれば、調湿板が使用者の手や収納物が触れ難い位置に配置されるので、調湿板の性能を長く維持することができるとともに、メンテナンスの必要性を低減することが可能となる。
【００１５】
請求項３の発明によれば、本発明の収納台をキッチンに利用することが可能となる。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は、１つの実施形態にかかる本発明の収納台１の斜視図である。本実施形態にかかる収納台１は、台所に備えられるいわゆるキッチンユニットである。従って収納台１は、利用者の上方に配置される上側ユニット２と、床に載置される下側ユニット６とを備えている。そして、上側ユニット２はスイング式の開閉扉を有する所定の収納空間を具備するキャビネット３、４、及び換気ユニット５を備えている。
【００１９】
一方、下側ユニット６は、その上面に流し台７、調理台８、及び加熱機器９を備えるとともに、該流し台７、調理台８、及び加熱機器９の下に収納空間を有するキャビネット１０が配置されている。本実施形態の収納台１では、当該キャビネット１０が調湿機能を有する。以下詳細に説明する。
【００２０】
上側ユニット２、及びこれに備えられるキャビネット３、４、換気ユニット５は通常のキッチンユニットが備えるものを適用することができ、特に限定されるものではない。従って、これらについての詳細な説明は省略する。
【００２１】
次に下側ユニット６について説明する。下側ユニット６は、上面に備えられる流し台７、調理台８、加熱機器９、及びその下に設けられるキャビネット１０を備えている。ここで流し台７、調理台８、加熱機器９については、上側ユニット２と同様に通常のキッチンユニットに備えられるものを利用することができるので、詳細な説明は省略する。
【００２２】
以下、キャビネット１０について説明する。キャビネット１０は、側面板１１、１２（図１で側面板１２は他の部材により隠蔽されているため符号のみが記載されている。）と、背面板１３（図２等参照）と、底板１４（図２等参照）とを備える略箱体により構成されている。また、キャビネット１０は箱体における前面側に開閉する引き出し２１、２２、３１、３２、３３、４１、４２が配置され、該引き出し２１、２２、３１、３２、３３、４１、４２が閉じられた姿勢において引き出しの前面板２１ａ、２２ａ、３１ａ、３２ａ、３３ａ、４１ａ、４２ａ（図２、図６、図７参照）がキャビネット１０の箱体の前面を形成する。また、キャビネット１０の箱体の上面には上記のように流し台７、調理台８、加熱機器９が備えられ、これらが箱体の上面を形成している。
【００２３】
さらに、キャビネット１０は、その上に配置されるものに対応し、流し台キャビネット２０、調理台キャビネット３０、及び加熱機器キャビネット４０に分けられている。以下各々について説明する。
【００２４】
流し台キャビネット２０は、流し台７の下に配置されるキャビネット１０の部分で、引き出し２１、２２を備えている。図２には、図１にＡ−Ａで示した線を含む面で切断した流し台キャビネット２０の垂直断面図を示した。図２（ａ）は引き出し２１、２２が閉じられた姿勢、図２（ｂ）は引き出し２１、２２が開放された姿勢をそれぞれ示している。また、図３には図１にＤ−Ｄで示した線を含む面で切断した流し台キャビネット２０の垂直断面図を示した。図３では見易さのため、流し台７は省略している。
【００２５】
流し台キャビネット２０は、上記したような背面板１３、底板１４、及び引き出し２１、２２を備える構成に加えて調湿板２３、２４を有している。調湿板２３は、図２、及び図３に記載したように、前面板２１ａ、側板２１ｂ、背面板２１ｃ、及び底板２１ｅを備える引き出し２１の底板２１ｅの下面に沿って取り付けられる。当該部位に調湿板２３を配置することにより、効果的な調湿をするための調湿板の面積を確保することができる。このように、板状の調湿板２３を配置するのみで流し台キャビネット２０の収納空間内を調湿できるので、簡易な構成とすることが可能である。
【００２６】
また、底板２１ｅの下面は人の手や収納物が接触することが少ない部位の１つである。従って、調湿板２３をここに配置することで、調湿板２３の汚れによる性能劣化や、破損を最小限に抑えることができる。これにより、調湿性能を有する部材を任意に配置した場合に比べて、調湿板２３の性能を長期に渡り維持することができ、メンテナンスや交換の手間を少なくすることが可能となる。
【００２７】
加えて、板状の調湿板２３であることにより、該調湿板２３自身の強度を利用することもでき、底板２１ｅを薄くしたり、又は底板２１ｅの強度を増したりすることができる。
【００２８】
さらには、調湿板２３は、収納スペース側に突出して配置されておらず、底板２１ｅと一体となっているので、調湿剤が収納スペースの一部を侵食するようなことがなく、調湿効果を有しつつも収納スペースは本来の容量を確保することができる。
【００２９】
図４には、調湿板２３を底板２１ｅに取り付ける方法の一例を示した。図４は図２（ｂ）にＦで示した部分を拡大した図である。当該取り付け方法によれば、引き出し２１は、調湿板２３、及び底板２１ｅの端部に断面が略Ｌ字で、長手方向には調湿板２３、及び底板２１ｅの４辺に沿って延在する取付部材２６を備えている。そして、当該調湿板２３、及び底板２１ｅの端部を取付部材２６のＬ字である断面の垂直である一方の片の内側面に当接させ、水平である他方の片の内側面は調湿板２３の下面に当接させるように配置する。次いで、例えばネジ等の固定部材により、取付部材２６、調湿板２３、及び底板２１ｅを固定する。これにより調湿板２３、及び底板２１ｅは一体となり、上記効果を奏するものとなる。また、上記のように一体化すると、例えば底板２１ｅ又は調湿板２３を交換する必要が生じた場合に、固定部材を除去すれば調湿板２３と底板２１ｅとは分離することができるので、交換も容易である。加えて、取付部材２６により、特に調湿板２３の端部が保護されるので、破損の可能性をさらに低減させることが可能となる。
【００３０】
ここでは、取付部材２６、及び固定部材により調湿板２３を底板２１ｅに固定する方法を説明したが、当該固定に用いられる方法はこれに限定されるものではなく、他のあらゆる固定方法を適用することが可能である。これには例えば接着剤により接着することを挙げることができる。接着剤により調湿板と底板とを貼り付けると、該貼り付け後に切断することができ、端部を容易に面一に切り揃えることが可能となる。また、上記取付部材２６による固定と接着剤による固定との両方により固定してもよい。
【００３１】
以上説明したように、本発明の収納台に備えられる調湿板２３は簡易な構造であるとともに容易に施工することができる。従って、通常の収納台に備えられる引き出しの底板を本発明に備えられる調湿板及び底板に変更し、本発明の収納台とすることも可能である。これによれば大きな変更をすることなく、本発明の収納台とすることができる。
【００３２】
調湿板２３に用いられる材料は、適切に湿度を調節する機能を有するものであれば特に限定されない。これには例えばセラミックス系、珪藻土系、鉱物含有ケイ酸カルシウム系、ケイ酸カルシウム系材料を挙げることができる。具体的には、建材試験センター規格のＪＳＴＭ  Ｈ  ６３０２に規定されている「調湿建材の吸放湿性試験方法」に基づき行われる試験において、６時間後における吸放湿量が４０ｇ／ｍ２以上であるものを適用することができる。この中でも、鉱物含有ケイ酸カルシウム系材料を用いることが好ましい。
【００３３】
引き続き図２、及び図３を参照しつつ、流し台キャビネット２０について説明する。流し台キャビネット２０には、さらに調湿板２４が備えられる。これにより流し台キャビネット２０における調湿効果がさらに向上する。調湿板２４は、背面板１３の収納空間側であるキャビネット内側と流し台７の一端部との間に配置される。かかる位置は調湿板２３が配置される位置と同様、人の手や収納物が接触することが少ない部位の１つであるので、調湿板２４の汚れによる性能劣化や、破損を最小限に抑えることができる。これにより調湿板２４の性能を長期に渡り維持することができ、メンテナンスや交換の手間を少なくすることが可能となる。また、その他上記した調湿板２３と同様の効果を得ることができる。
【００３４】
図５には、調湿板２４を背面板１３に取り付ける方法の一例を示した。図５は図２（ａ）にＥで示した部分を拡大した図である。当該取り付け方法によれば、調湿板２４は、ビス２５、２５によって背面板１３のキャビネット内側面に沿って固定される。これにより、調湿板２４はビス２５、２５を除去することによって取り去ることもでき、交換も容易である。また、上記したように、通常の収納台に対して調湿板２４を後から取り付け、本発明の収納台とすることもできる。
【００３５】
調湿板２４は、調湿板２３と異なりキャビネット内側の空間に突出して配置されている。これは調湿板２４の配置される位置が上記のように背面板１３と流し台７との間であるので、突出して配置されても収納には影響を与えないことによるものである。従って調湿板２４は、背面板１３の厚さを一部の部分で厚くし、背面板１３の強度を向上させることも可能となる。
【００３６】
以上で説明した調湿板２３、２４が、収納空間である流し台キャビネット２０の内側にどのくらいの範囲に渡って配置されるべきかについては、適切な調湿効果を得られることができれば特に限定されるものではない。調湿板２３、２４が取り付けられた姿勢において調湿に寄与する該調湿板２３、２４の面の面積は、引き出しの内表面積を除いたキャビネットの内表面積の２５％以上であることが好ましい。
【００３７】
次に図１に戻り、調理台キャビネット３０について説明する。図６には、図１にＢ−Ｂで示した線を含む面で切断した調理台キャビネット３０の垂直断面図を示した。図６（ａ）は引き出し３１、３２、３３が閉じられた姿勢、図６（ｂ）は引き出し３１、３２、３３が開放された姿勢をそれぞれ示している。図１及び図６を参照しつつ調理台キャビネット３０について説明する。
【００３８】
調理台キャビネット３０は、上記したように背面板１３、底板１４、及び引き出し３１、３２、３３を備えるとともに、調湿板３４、３５を有している。調湿板３４、３５は、図２に示した調湿板２３と同様に引き出し３１、３２の底板３１ｅ、３２ｅの下面の各々に沿って取り付けられる。具体的には、調湿板３４は、前面板３１ａ、側板３１ｂ、背面板３１ｃ、及び底板３１ｅを備える引き出し３１の底板３１ｅの下面に取り付けられる。調湿板３５は、前面板３２ａ、側板３２ｂ、背面板３２ｃ、及び底板３２ｅを備える引き出し３２の底板３２ｅの下面に取り付けられる。
【００３９】
このように取り付けられた調湿板３４、３５による効果は、上記した調湿板２３の説明が該当するのでここでは説明を省略する。
【００４０】
このように、調理台キャビネット３０では配置された３つの引き出し３１、３２、３３のうち、２つの引き出し３１、３２の底板３１ｅ、３２ｅに調湿板３４、３５を配置し、背面板１３には調湿板を配置していない。かかる構成によっても調湿の効果を十分に得ることが可能である。
【００４１】
図１に戻り、加熱機器キャビネット４０について説明する。図７には、図１にＣ−Ｃで示した線を含む面で切断した加熱機器キャビネット４０の垂直断面図を示した。図７（ａ）は引き出し４１、４２が閉じられた姿勢、図７（ｂ）は引き出し４１、４２が開放された姿勢をそれぞれ示している。図１及び図７を参照しつつ加熱機器キャビネット４０について説明する。
【００４２】
加熱機器キャビネット４０は、上記したように背面板１３、底板１４、及び引き出し４１、４２を備えるとともに、調湿板４３、４４を有している。調湿板４３は、図２に示した調湿板２３と同様に引き出し４１の底板４１ｅの下面に沿って取り付けられる。具体的には、調湿板４３は、前面板４１ａ、側板４１ｂ、背面板４１ｃ、及び底板４１ｅを備える引き出し４１の底板４１ｅの下面に取り付けられる。調湿板４４は、図２に示した調湿板２４と同様に、背面板１３と加熱機器９との間における背面板１３のキャビネット内側面に沿って取り付けられる。
【００４３】
このように取り付けられた調湿板４３、４４による効果は、上記した調湿板２３、２４の説明がそれぞれ該当するのでここでは説明を省略する。
【００４４】
以上では本発明の１つの実施形態として収納台１について説明したが、本発明の収納台はこれに限定されるものではない。例えば調湿板の配置位置についても収納台１に備えられる調湿板の位置に限定されず、上記効果を有するように適宜その位置を変更することが可能である。従って例えば、前面にスイング式の扉を有しており、その開閉により収納物の出入口が閉鎖、開放される収納台の形態であってもよい。そしてこのとき、収納台の内側に引き出しを備えていても、備えていなくてもよい。かかる場合においては、引き出しが備えられている場合には上記した説明のように調湿板が備えられる。また、引き出しが備えられていない場合には、背面板の他、人の手、又は収納物が触れ難い部位等に調湿板を設けることができる。
【００４５】
また、収納台１としていわゆるキッチンユニットを実施形態として説明したが、本発明の収納台はこれに限定されるものではなく、調湿が必要な各種収納台を挙げることができる。これには例えば洗面台、食器棚等を挙げることができる。
【００４６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う収納台もまた本発明の技術的範囲に包含されるものとして理解されなければならない。
【図面の簡単な説明】
【００４７】
【図１】本発明の１つの実施形態にかかる収納台の外観を示す斜視図である。
【図２】流し台キャビネットのＡ−Ａ垂直断面図である。
【図３】流し台キャビネットのＤ−Ｄ垂直断面図である。
【図４】引き出し底板への調湿板の取り付けの一例を説明するための図である。
【図５】キャビネット背面板への調湿板の取り付けの一例を説明するための図である。
【図６】調理台キャビネットのＢ−Ｂ垂直断面図である。
【図７】加熱機器キャビネットのＣ−Ｃ垂直断面図である。
【符号の説明】
【００４８】
１  収納台
２  上側ユニット
３、４  キャビネット
５  換気ユニット
６  下側ユニット
７  流し台
８  調理台
９  加熱機器
１０  キャビネット
１１、１２  側板
１３  背面板
１４  底板
２０  流し台キャビネット
２１、２２  引き出し
２３、２４  調湿板
３０  調理台キャビネット
３１、３２、３３  引き出し
３４、３５  調湿板
４０  加熱機器キャビネット
４１、４２  引き出し
４３、４４  調湿板
【図１】
2008136548.tif 000003
【図２】
2008136548.tif 000004
【図３】
2008136548.tif 000005
【図４】
2008136548.tif 000006
【図５】
2008136548.tif 000007
【図６】
2008136548.tif 000008
【図７】
2008136548.tif 000009